(57)【要約】【課題】本発明は、デジタルページデータのシーケンスを格納し再生する方法及びその装置を提供する。【解決手段】格納モードにおいて、第１及び第２複素参照光と変調物体光を一定の格納位置に収斂させ、ホログラフィック媒体上に順次格納される第１及び第２干渉縞のシーケンスを順次生成する。第１複素参照光の移動選択度が第２複素参照参照光の移動選択度より大きいので、第２干渉縞をサーボパターンとして用いて、第１干渉縞が格納されている位置を順次決定する。【選択図】    図２
2005106838.tif 000002
【特許請求の範囲】
【請求項１】
線形的に連続して動くホログラフィック媒体内にデジタルページデータのシーケンスを格納する方法であって、
コヒーレント単色光を参照光と物体光に分割するステップと、
前記物体光を、前記デジタルページデータを用いて、順次変調することにより、変調物体光を生成するステップと、
前記参照光を第１及び第２複素参照光に変換するステップと、
前記変調物体光と前記第１及び第２複素参照光を前記ホログラフィック媒体上に収斂させ、前記ホログラフィック媒体内に順次格納される第１及び第２干渉縞のシーケンスを生成するステップとを含み、
前記第１複素参照光の移動選択度が前記第２複素参照光の移動選択度より大きいため、前記第２干渉縞が、前記第１干渉縞が格納されている位置を順次決定するサーボパターンとして使用され、
前記第１及び第２複素参照光の移動選択度は、隣接する任意の２つの第１及び第２干渉縞の間に無視できるほどの相関度を発生させる前記第１及び第２複素参照光に対する前記ホログラフィック媒体の最少移動距離を意味するデジタルページデータのシーケンス格納方法。
【請求項２】
前記変調物体光、前記第１複素参照光及び前記第２複素参照光が、前記ホログラフィック媒体が位置する一位置上に収斂される請求項１に記載のデジタルページデータのシーケンス格納方法。
【請求項３】
前記変換段階が、
前記参照光を第１及び第２参照光に分割するステップと、
前記第１及び第２参照光を、それぞれ、第１及び第２ディフューザを用いて前記第１及び第２複素参照光に変換し、前記第１ディフューザの移動選択度が前記第２ディフューザの移動選択度より大きいステップとを含む請求項１に記載のデジタルページデータのシーケンス格納方法。
【請求項４】
前記第１複素参照光の移動選択度が前記第２複素参照光の移動選択度より約２倍ないし約５０倍大きい請求項１に記載のデジタルページデータのシーケンス格納方法。
【請求項５】
第１項の前記第１干渉縞から前記デジタルページデータを再生する方法であって、
前記コヒーレント単色光から再生参照光を生成し、ここで、前記再生参照光が前記参照光と実質的に同様であるステップと、
前記再生参照光を第１及び第２複素再生参照光に変換し、ここで、前記第１及び第２複素再生参照光がそれぞれ前記第１及び第２複素参照光と実質的に同様であるステップと、
前記第１及び第２干渉縞が格納されている前記ホログラフィック媒体上に前記第１及び第２複素再生参照光を照射して、前記第１及び第２干渉縞から前記変調物体光に対応する再構成物体光を順次再構成するステップと、
前記再構成物体光を第１及び第２再構成物体光に分割し、ここで、前記第１及び第２再構成物体光が前記第１及び第２干渉縞に対応し、前記第１及び第２再構成物体光の移動選択度が前記第１及び第２複素参照光の移動選択度と実質的に同様であるため、前記第１再構成物体光の移動選択度が前記第２再構成物体光の移動選択度より大きいステップと、
前記第２再構成物体光に基づいて前記第１再構成物体光を順次キャプチャリングして、前記デジタルページデータを順次再生するステップとを含むデジタルページデータ再生方法。
【請求項６】
前記第１及び第２複素再生参照光が互いに垂直に偏光される請求項５に記載のデジタルページデータ再生方法。
【請求項７】
前記変調ステップは、
前記再生参照光を第１及び第２再生参照光に分割するステップと、
前記第１及び第２再生参照光を、それぞれ、第１及び第２ディフューザを用いて、前記第１及び第２複素再生参照光に変換し、ここで、前記第１ディフューザの移動選択度が前記第２ディフューザの移動選択度より大きいステップとを含む請求項５に記載のデジタルページデータのシーケンス再生方法。
【請求項８】
前記キャプチャリングステップが、
前記第２再構成物体光からトリガ信号を生成するステップと、
前記トリガ信号に基づいて前記第１再構成物体光を順次キャプチャリングして、前記デジタルページデータを順次再生するステップとを含む請求項５に記載のデジタルページデータ再生方法。
【請求項９】
前記生成ステップは、
前記第２再構成物体光の強度が所定のしきい値より大きいか否かを決定するステップと、
前記第２再構成物体光の強度が前記所定のしきい値より大きい場合、前記トリガ信号を生成するステップとを含む請求項８に記載のデジタルページデータ再生方法。
【請求項１０】
前記第１複素再生参照光の移動選択度が前記第２複素再生参照光の移動選択度より約２倍ないし約５０倍大きい請求項５に記載のデジタルページデータ再生方法。
【請求項１１】
デジタルページデータのシーケンスを再生して格納する装置であって、
線形的に連続して移動すると共に、内部に前記デジタルページデータを格納し、そこから前記デジタルページデータを再生するホログラフィック媒体と、
コヒーレント単色光を参照光と物体光に分割する手段と、
格納モードにおいて、前記物体光を、前記デジタルページデータを用いて、順次変調することにより、変調物体光を生成する手段と、
再生モードにおいて、前記物体光が伝播しないようにして、前記参照光のみが再生参照光（前記再生参照光は前記参照光と実質的に同様である）として伝播される手段と、
前記格納モードにおいて、前記参照光を第１及び第２複素参照光に変換し、前記再生モードにおいて、前記再生参照光を第１及び第２複素再生参照光に変換し、ここで、前記第１及び第２複素再生参照光がそれぞれ前記第１及び第２複素参照光と実質的に同様である手段と、
前記格納モードにおいて、前記変調物体光と前記第１及び第２複素参照光を前記ホログラフィック媒体上に収斂させ、前記ホログラフィック媒体上に順次格納されるとき、第１及び第２干渉縞のシーケンスを生成し、ここで、前記第１複素参照光の移動選択度が前記第２複素参照光の移動選択より大きいため、前記第２干渉縞がサーボパターンとして使用され、前記第１干渉縞が格納されている位置を順次決定し、前記第１及び第２複素参照光の移動選択度は隣接する任意の２つの第１及び第２干渉縞の間に無視できるほどの相関度を発生させる第１及び第２複素参照光に対する前記ホログラフィック媒体の最少移動距離を意味する収斂手段と、
前記再生モードにおいて、前記第１及び第２干渉縞が格納されている前記ホログラフィック媒体上に前記第１及び第２複素再生参照光を照射して、前記第１及び第２干渉縞から前記変調物体光に対応する再構成物体光を再構成する手段と、
前記再構成物体光が第１及び第２再構成物体光に分割され、ここで、前記第１及び第２再構成物体光が前記第１及び第２干渉縞に対応し、前記第１及び第２再構成物体光の移動選択度が前記第１及び第２複素参照光の移動選択度と実質的に同様であるため、前記第１再構成物体光の移動選択度が前記第２再構成物体光の移動選択度より大きい分離手段と、
前記第２再構成物体光に基づいて前記第１再構成物体光を順次キャプチャリングして、前記デジタルページデータを順次再構成する手段とを含むデジタルページデータ再生装置。
【請求項１２】
前記再生モードにおいて、前記第１及び第２複素再生参照光のうちの１つを垂直に偏光させて、前記第１及び第２複素再生参照光が互いに垂直に偏光される手段をさらに含む請求項１１に記載のデジタルページデータ再生装置。
【請求項１３】
前記変調物体光と前記第１及び第２複素参照光が一位置に収斂し、その位置上にホログラフィック媒体が位置する請求項１１に記載のデジタルページデータ再生装置。
【請求項１４】
前記変換手段が、
前記格納モードにおいて、前記参照光を第１及び第２参照光に分割し、前記再生モードにおいて、前記再生参照光を第１及び第２再生参照光に分割する手段と、
前記格納モードにおいて、前記第１参照光を前記第１複素参照光に変換し、前記再生モードにおいて、前記第１再生参照光を前記第１複素再生参照光に変換する第１変換手段と、
前記格納モードにおいて、前記第２参照光を前記第２複素参照光に変換し、前記再生モードにおいて、前記第２再生参照光を前記第２複素再生参照光に変換する第２変換手段とを含み、
ここで、前記第１変換手段の移動選択度が前記第２変換手段の移動選択度より大きい請求項１１に記載のデジタルページデータ再生装置。
【請求項１５】
前記第１複素参照光の移動選択度が前記第２複素参照光の移動選択度より約２倍ないし約５０倍大きく、前記第１複素再生参照光の移動選択度が前記第２複素再生参照光の移動選択度より約２倍ないし約５０倍大きい請求項１１に記載のデジタルページデータ再生装置。
【請求項１６】
前記キャプチャリング手段は、
前記第２再構成物体光からトリガ信号を生成する手段と、
前記トリガ信号に基づいて前記第１再構成物体光を順次キャプチャリングして前記デジタルページデータを順次再生する手段とを含む請求項１１に記載のデジタルページデータ再生装置。
【請求項１７】
前記生成手段が、
前記第２再構成物体光の強度が所定のしきい値より大きいか否かを決定する手段と、
前記第２再構成物体光の強度が前記所定のしきい値より大きい場合、前記トリガ信号を生成する手段とを含む請求項１６に記載のデジタルページデータ再生装置。
【発明の詳細な説明】
【０００１】
（発明の属する技術分野）
本発明はホログラフィックデジタルデータ格納装置に関し、更に詳しくは、一波長であると共に互いに異なる選択度を有する２つの複素参照光を用いてデジタルページデータのシーケンスを格納し再生する方法及びその装置に関する。
【０００２】
（従来の技術）
周知のように、動映像フィルム用データのように、多量のデータを格納することができる光学的な格納装置に関する要求が増加している。そこで、リチウムニオブ酸塩（lithium niobate）のような光屈折結晶からなるホログラフィック媒体をその内部に取り込んでいる多様な形のホログラフィックデジタルデータ格納装置が高精度光学格納可能性を実現するために開発されている。
【０００３】
ホログラフィックデジタルデータ格納装置は、その内部に情報を備える変調物体光（signal beam）が参照光（reference beam）にコヒーレント干渉して、２つのビームの間の干渉縞（interference pattern）を生成し、その後、干渉縞を制御して光屈折結晶のようなホログラフィック媒体の特定記録位置にインデックス摂動として格納される。光屈折結晶は、それぞれの振幅やその位相によって干渉縞上に異なって作用する材料である。
【０００４】
高精度を実現するために、例えば、角マルチプレックシング、波長マルチプレックシング、移動マルチプレックシング及び位相コードマルチプレックシングのようなホログラムマルチプレックシングのための多様な技法が提案されている。最近、相関マルチプレックシングがかなり注目されているが、これは、相関マルチプレックシングが鋭い空間的な移動選択度を有するからである。相関マルチプレックシングは、ランダムパターン基準技法、スペックルパターン基準技法または複素基準技法を使用し、このような技法では、ｑｕａｓｉ−ｒａｎｄｏｍ−ｐｈａｓｅｄ ｓｐｅｃｋｌｅ ｗａｖｅ ｆｒｏｎｔが参照光として使用される。そこで、参照光に対してホログラフィック媒体をミクロンサイズだけ空間的に移動しても、多数のホログラムを実質的に同一の体積のホログラフィック媒体内にマルチプレックシングすることができる。
【０００５】
図１を参照すると、相関マルチプレックシングを用いてマルチプレックシングされた従来のホログラフィックデジタルデータ格納装置を説明するためのブロック図を示している。従来のホログラフィックデジタルデータ格納装置は、レーザ１００、ビームスプリッタ１０１、第１及び第２ミラー１０２、１０４、空間光変調器（ＳＬＭ：Spatial Light Modulator）１０５、ディフューザ１０８、ホログラフィック媒体１１０、シャッター１１１、線形ステージ１１２及び電荷結合素子ＣＣＤ１２０を含む。
【０００６】
格納モードにおいて、レーザ１００から発光されたレーザビームのようなコヒーレント単色光がビームスプリッタ１０１に照射される。ビームスプリッタ１０１は、レーザビームを参照光Ｒと物体光Ｓに分割する。参照光Ｒは、レーザビームからビームスプリッタ１０１を介して透過された光であり、物体光Ｓは、レーザビームからビームスプリッタ１０１によって反射された光である。参照光は、第１ミラー１０２によって反射された後、ディフューザ１０８に入射される。ディフューザ１０８は、参照光を相関マルチプレックシングのための複素参照光ＲＤに変換させる。
【０００７】
一方、物体光Ｓは、第２ミラー１０４によって反射された後、ＳＬＭ１０５に入射される。デジタルページデータのシーケンスがＳＬＭ１０５に順次入射されるので、物体光Ｓがデジタルページデータによって順次変調され変調物体光ＳＭを生成する。
【０００８】
変調物体光ＳＭと複素参照光ＲＤは、ホログラフィック媒体１１０上に収斂して、ホログラフィック媒体１１０内に順次格納される干渉縞のシーケンスを生成する。
【０００９】
格納されたデータを読み取るために、格納モードで使用された参照光とマッチングされる特性を有する再生参照光がホログラフィック媒体の特定格納位置に正確に照射される必要があり、格納されたインデックス摂動を回折させて変調物体光に相応する再構成物体光を再構成する。
【００１０】
詳細には、再生モードにおいて、物体光の経路上に位置するシャッター１１１が遮断されるので、コヒーレント単色光から再生参照光Ｒのみが得られる。再生モードにおける再生参照光Ｒは、格納モードにおける参照光Ｒと実質的に同様である。
【００１１】
再生参照光が第１ミラー１０２によって反射された後、ディフューザ１０８に入射される。ディフューザ１０８は、再生参照光を複素再生参照光ＲＤに変換させる。そこで、複素再生参照光は、格納モードにおける複素参照光と実質的に同様である。
【００１２】
複素再生参照光ＲＤは、干渉縞が順次格納されるホログラフィック媒体１１０上に照射され、再構成物体光を順次再構成する。再構成物体光は、実質的にホログラフィック媒体１１０内に複素再生参照光ＲＤを照射することにより、干渉縞から生成される回折ビームである。再構成物体光が所定間隔にキャプチャリングされ、デジタルページデータを順次再構成する。
【００１３】
通常、ホログラフィック媒体が設けられている高精密線形ステージがＤＣサーボモータによって所定間隔に制御されることにより、特定の格納位置を決定する。すなわち、格納位置がＤＣサーボモータを用いて検知された後、ＣＣＤカメラが再構成物体光をキャプチャリングして、デジタルページデータを読み取ることができる。ＤＣサーボモータを制御して高精密線形ステージを所定の間隔／距離だけ順次移動させるので、デジタルページデータの格納位置が正確に検知されない。
【００１４】
（発明が解決しようとする課題）
本発明は上記事情に鑑みてなされたものであり、その目的とするところは、単一波長からなる２つの複素参照光を用いてデジタルページデータのシーケンスを格納及び再生することにより、格納位置が２つの複素参照光のうちの１つを用いて光学的に検出することができるデジタルページデータのシーケンス格納及び再生方法並びにその装置を提供することにある。
【００１５】
（課題を解決するための手段）
上記目的を達成するために、本発明による好適な実施の形態によれば、線形的に連続して動くホログラフィック媒体内にデジタルページデータのシーケンスを格納する方法であって、コヒーレント単色光を参照光と物体光に分割するステップと、前記物体光を、前記デジタルページデータを用いて、順次変調することにより、変調物体光を生成するステップと、前記参照光を第１及び第２複素参照光に変換するステップと、前記変調物体光と前記第１及び第２複素参照光を前記ホログラフィック媒体上に収斂させ、前記ホログラフィック媒体内に順次格納される第１及び第２干渉縞のシーケンスを生成するステップとを含み、前記第１複素参照光の移動選択度が前記第２複素参照光の移動選択度より大きいため、前記第２干渉縞が、前記第１干渉縞が格納されている位置を順次決定するサーボパターンとして使用され、前記第１及び第２複素参照光の移動選択度は、隣接する任意の２つの第１及び第２干渉縞の間に無視できるほどの相関度を発生させる前記第１及び第２複素参照光に対する前記ホログラフィック媒体の最少移動距離を意味する。
【００１６】
本発明による他の好適な実施の形態によれば、第１項の前記第１干渉縞から前記デジタルページデータを再生する方法であって、前記コヒーレント単色光から再生参照光を生成し、ここで、前記再生参照光が前記参照光と実質的に同様であるステップと、前記再生参照光を第１及び第２複素再生参照光に変換し、ここで、前記第１及び第２複素再生参照光がそれぞれ前記第１及び第２複素参照光と実質的に同様であるステップと、前記第１及び第２干渉縞が格納されている前記ホログラフィック媒体上に前記第１及び第２複素再生参照光を照射して、前記第１及び第２干渉縞から前記変調物体光に対応する再構成物体光を順次再構成するステップと、前記再構成物体光を第１及び第２再構成物体光に分割し、ここで、前記第１及び第２再構成物体光が前記第１及び第２干渉縞に対応し、前記第１及び第２再構成物体光の移動選択度が前記第１及び第２複素参照光の移動選択度と実質的に同様であるため、前記第１再構成物体光の移動選択度が前記第２再構成物体光の移動選択度より大きいステップと、前記第２再構成物体光に基づいて前記第１再構成物体光を順次キャプチャリングして、前記デジタルページデータを順次再生するステップとを含む。
【００１７】
本発明による更に他の好適な実施の形態によれば、デジタルページデータのシーケンスを再生して格納する装置であって、線形的に連続して移動すると共に、内部に前記デジタルページデータを格納し、そこから前記デジタルページデータを再生するホログラフィック媒体と、コヒーレント単色光を参照光と物体光に分割する手段と、格納モードにおいて、前記物体光を、前記デジタルページデータを用いて、順次変調することにより、変調物体光を生成する手段と、再生モードにおいて、前記物体光が伝播しないようにして、前記参照光のみが再生参照光（前記再生参照光は前記参照光と実質的に同様である）として伝播される手段と、前記格納モードにおいて、前記参照光を第１及び第２複素参照光に変換し、前記再生モードにおいて、前記再生参照光を第１及び第２複素再生参照光に変換し、ここで、前記第１及び第２複素再生参照光がそれぞれ前記第１及び第２複素参照光と実質的に同様である手段と、前記格納モードにおいて、前記変調物体光と前記第１及び第２複素参照光を前記ホログラフィック媒体上に収斂させ、前記ホログラフィック媒体上に順次格納されるとき、第１及び第２干渉縞のシーケンスを生成し、ここで、前記第１複素参照光の移動選択度が前記第２複素参照光の移動選択より大きいため、前記第２干渉縞がサーボパターンとして使用され、前記第１干渉縞が格納されている位置を順次決定し、前記第１及び第２複素参照光の移動選択度は隣接する任意の２つの第１及び第２干渉縞の間に無視できるほどの相関度を発生させる第１及び第２複素参照光に対する前記ホログラフィック媒体の最少移動距離を意味する収斂手段と、前記再生モードにおいて、前記第１及び第２干渉縞が格納されている前記ホログラフィック媒体上に前記第１及び第２複素再生参照光を照射して、前記第１及び第２干渉縞から前記変調物体光に対応する再構成物体光を再構成する手段と、前記再構成物体光を第１及び第２再構成物体光に分割され、ここで、前記第１及び第２再構成物体光が前記第１及び第２干渉縞に対応し、前記第１及び第２再構成物体光の移動選択度が前記第１及び第２複素参照光の移動選択度と実質的に同様であるため、前記第１再構成物体光の移動選択度が前記第２再構成物体光の移動選択度より大きい分離手段と、前記第２再構成物体光に基づいて前記第１再構成物体光を順次キャプチャリングして、前記デジタルページデータを順次再構成する手段とを含む。
【００１８】
（発明の実施の形態）
以下、図面を参照しつつ本発明の実施の形態を説明する。
【００１９】
図２及び図３では、本発明の好適な実施の形態によるホログラフィックデジタルデータ格納装置を説明するためのブロック図を示している。図２は、ホログラフィックデジタルデータ格納装置の格納モードを示し、図３は、ホログラフィックデジタルデータ格納装置の再生モードを示す。ホログラフィックデジタルデータ格納装置は、レーザ２００、第１、第２及び第３ビームスプリッタ２１０、２３０、２５０、シャッター２１１、第１、第２及び第３ミラー２１５、２３２、２３４、空間光変調器ＳＬＭ２２０、偏光器２３１、第１及び第２ディフューザ２３６、２３８、ホログラフィック媒体２４０、光検知器２５２、パルス生成器２５４、電荷結合素子ＣＣＤ２６０を含む。説明のために、ディスク状のホログラフィック媒体２４０が一定の回転速度で回転することにより、ホログラフィック媒体２４０の格納位置が連続して線形的に移動することができると仮定する。
【００２０】
図２に示された格納モードにおいて、レーザ２００から発光されたレーザビームのようなコヒーレント単色光が第１ビームスプリッタ２１０に入射される。第１ビームスプリッタ２１０によって、レーザビームが参照光Ｒと物体光Ｓに分割される。参照光Ｒは、レーザビームのうち、第１ビームスプリッタ２１０を透過する光であり、物体光Ｓは、レーザビームのうち、第１ビームスプリッタ２１０によって反射される光である。
【００２１】
第２ビームスプリッタ２３０によって、参照光Ｒが第１及び第２参照光に分割される。第１参照光は、参照光Ｒのうち、第２ビームスプリッタ２３０を透過する光であり、第２参照光は、参照光Ｒのうち、第２ビームスプリッタ２３０によって反射される光である。
【００２２】
第１及び第２参照光は、それぞれ、第１及び第２ミラー２１５、２３２によって反射された後、第１及び第２ディフューザ２３６、２３８に入射される。第１ディフューザ２３６によって、第１参照光が幅の広い相関マルチプレックシングのための第１複素参照光Ｒ１に変換され、第２ディフューザ２３８によって、第２参照光が幅の狭い相関マルチプレックシングのための第２複素参照光Ｒ２に変換される。すなわち、第１ディフューザ２３６の移動選択度が第２ディフューザ２３８の移動選択度より大きいため、第１複素参照光Ｒ１の移動選択度が第２複素参照光Ｒ２の移動選択度より大きい。第１複素参照光Ｒ１の移動選択度が第２複素参照光Ｒ２の移動選択度より約２倍ないし約５０倍大きいことが好ましい。
【００２３】
図４を参照すると、本発明により第１複素参照光Ｒ１の移動選択度が第２複素参照光Ｒ２の移動選択度より大きいことを説明するためのグラフを示している。第１及び第２複素参照光の移動選択度は、後述のように、第１及び第２複素参照光に対するホログラフィック媒体２４０の最少移動距離であり、最少移動距離だけ離れた２つの隣接する第１及び第２干渉縞の間に相関性が殆どないようにする。ここで、第１及び第２干渉縞は、第１及び第２複素参照光に対応する。そこで、移動選択度が小さくなるほどホログラム、すなわち、ホログラフィック干渉縞が更に多く格納されることができる。
【００２４】
再度図２を参照すると、第１及び第２複素参照光がホログラフィック媒体２４０内に入射される。
【００２５】
一方、物体光Ｓは、第３ミラー２３４によって反射された後、ＳＬＭ２２０に入射される。デジタルページデータのシーケンスがＳＬＭ２２０に順次提供されるので、物体光Ｓがデジタルページデータによって順次変調され、変調物体光ＳＭを生成する。変調物体光ＳＭは、一定の変調周期で変調され、変調周期は、第１複素参照光Ｒ１の移動選択度のように大きい値の移動選択度によって異なる。ディスク状のホログラフィック媒体２４０が大抵一定の速度Ｖで回転するので、第１及び第２複素参照光Ｒ１及びＲ２の移動選択度が変調物体光ＳＭの変調周期に関連する。詳細には、変調物体光ＳＭの変調周期は、より大きい選択度、すなわち、第１複素参照光Ｒ１の移動選択度をホログラフィック媒体２４０の速度Ｖで除する値と同じであるか、或いは、大きい。
【００２６】
変調物体光ＳＭと第１及び第２複素参照光Ｒ１及びＲ２がホログラフィック媒体２４０に収斂し、ホログラフィック媒体２４０内に順次格納されるとき、第１及び第２干渉縞のシーケンスを生成する。変調物体光ＳＭと第１及び第２複素参照光Ｒ１及びＲ２は、一位置に収斂し、その位置上にホログラフィック媒体２４０が位置する。第１参照光Ｒ１の選択度より小さい選択度を有する第２参照光Ｒ２によって生成された第２干渉縞をサーボパターンとして用いて、第１干渉縞が格納されている位置を順次決定する。第１及び第２複素参照光Ｒ１及びＲ２の間の相関度は、無視できるほど小さい。
【００２７】
図３に示す再生モードにおいて、物体光の経路上に位置するシャッター２１１が遮断されて、コヒーレント単色光から再生参照光Ｒのみが生成され、再生モードにおける再生参照光Ｒは格納モードにおける参照光Ｒと実質的に同様である。
【００２８】
第２ビームスプリッタ２３０によって、再生参照光Ｒが第１及び第２再生参照光に分割され、再生モードにおける第１及び第２再生参照光は、格納モードにおける第１及び第２参照光と実質的に同様である。
【００２９】
第１及び第２再生参照光が、それぞれ、第１及び第２ミラー２１５及び２３２によって反射された後、第１及び第２ディフューザ２３６及び２３８に入射される。第１ディフューザ２３６によって、第１再生参照光が第１複素再生参照光Ｒ１に変換される間、第２ディフューザ２３８によって、第２再生参照光が第２複素再生参照光Ｒ２に変換される。そこで、第１及び第２複素再生参照光が格納モードにおいて第１及び第２複素参照光と実質的に同様である。第１ディフューザ２３６の移動選択度が第２ディフューザ２３８の移動選択度より大きいので、第１複素再生参照光Ｒ１の移動選択度が第２複素再生参照光Ｒ２の移動選択度より大きい。
【００３０】
再生モードにおいて、第１及び第２再生参照光の１つが垂直に偏光され、第１及び第２複素再生参照光Ｒ１及びＲ２が互いに垂直に偏光されることが好ましい。例えば、図３に示すように、第２再生参照光を垂直に偏光させるために、偏光器２３１が用いられる。よって、第２複素再生参照光Ｒ２が、図３に示されているように、垂直に偏光されることは当然である。
【００３１】
第１及び第２複素再生参照光Ｒ１及びＲ２が第１及び第２干渉縞が順次格納されたホログラフィック媒体２４０上に照射され、再生物体光を順次再構成する。再構成参照光は、ホログラフィック媒体２４０内に第１及び第２複素再生参照光Ｒ１及びＲ２を照射してホログラフィック媒体２４０の第１及び第２干渉縞から生成される回折ビームである。
【００３２】
再構成物体光が第３ビームスプリッタ２５０に入射され、第３スプリッタ２５０によって、再構成物体光が第１及び第２再構成物体光ＳＭ１及びＳＭ２に分割される。第１及び第２再構成物体光は、第１及び第２複素再生参照光によって格納された第１及び第２干渉縞に相応する。第２複素再生参照光Ｒ２が垂直に偏光されるので、第１再構成物体光ＳＭ１は、再構成物体光のうち、第３ビームスプリッタ２５０を透過する光であり、第２再構成物体光ＳＭ２は、再構成物体光のうち、第３ビームスプリッタ２５０によって反射される光である。
【００３３】
その後、第２再構成物体光ＳＭ２に基づいて、第１再構成物体光ＳＭ１がキャプチャリングされ、デジタルページデータを順次再構成し、ここで、第１再構成物体光ＳＭ１の移動選択度が第２再構成物体光ＳＭ２の移動選択度より大きい。詳細には、光検知器２５２が第２再構成物体光ＳＭ２を連続して検知し、パルス生成器２５４が第２再構成物体光ＳＭ２の強度が所定のしきい値より大きいか否かを決定する。第２再構成参照光ＳＭ２の強度が所定のしきい値より大きい場合、パルス生成器２５４がトリガ信号を生成してＣＣＤ２６０を制御する。トリガ信号は、変調物体光ＳＭの変調周期に応じて周期的に活性化するパルスであることが好ましい。トリガ信号が周期的に活性化する度に、ＣＣＤ２６０は、第１再構成参照光ＳＭ１を順次キャプチャリングして、デジタルページデータを順次再構成する。
【００３４】
上記において、本発明の好適な実施の形態について説明したが、本発明の請求範囲を逸脱することなく、当業者は種々の改変をなし得るであろう。
【００３５】
（発明の効果）
本発明によれば、単一波長からなる２つの複素参照光を用いてデジタルページデータのシーケンスを格納及び再生する場合、２つの複素参照光のうちの１つを用いてデータの格納位置を光学的に検出することができるので、ＤＣサーボモータを用いて機械的に格納位置を検出することより正確に格納位置を検出することができる。
【図面の簡単な説明】
【図１】相関マルチプレックシングを用いてマルチプレックシングを行なう従来のホログラフィックデジタルデータ格納装置を示すブロック図である。
【図２】本発明によるホログラフィックデジタルデータ格納装置の格納モードを示すブロック図である。
【図３】本発明によるホログラフィックデジタルデータ格納装置の再生モードを示すブロック図である。
【図４】本発明によるホログラフィックデジタルデータ格納装置において第１複素参照光の移動選択度が第２複素参照光の移動選択度より大きいことを説明するグラフである。
【符号の説明】
２００            レーザ
２１０、２３０、２５０    第１、第２及び第３ビームスプリッタ
２１１            シャッタ
２１５、２３２、２３４    第１、第２及び第３ミラー
２２０            空間光変調器
２３１            偏光器
２３６、２３８        第１及び第２ディフューザ
２４０            ホログラフィック媒体
２５２            光検知器
２５４            パルス生成器
２６０            電荷結合素子
【図１】
2005106838.tif 000003
【図２】
2005106838.tif 000004
【図３】
2005106838.tif 000005
【図４】
2005106838.tif 000006